(57)【要約】【課題】施錠状態で前扉が強く開方向に引かれた場合でも、係止板部の曲がり変形を防止することができる施錠装置の受け金具を提供する。【解決手段】ゲーム機のキャビネット１の内側に取り付けられる受け金具１０であり、ゲーム機の前扉２の内側に取り付けられた施錠装置の鉤部材５，６が係止される。キャビネット１の内壁面に取付け固定される取付板部１１と、取付板部１１の表面に突設された板状の係止板部１２，１５とを備え、係止板部１２，１５は、取付板部１１の垂直取付面に対し水平に突設されている。【選択図】図２
2006122205.tif 000002
【特許請求の範囲】
【請求項１】
ゲーム機のキャビネットの内側に取り付けられる受け金具であって、該ゲーム機の前扉の内側に取り付けられた施錠装置の鉤部材が係止される施錠装置の受け金具において、
該キャビネットの内壁面に取付け固定される取付板部と、該取付板部の表面に突設された板状の係止板部とを備え、該係止板部が該取付板部の垂直取付面に対し水平に突設されたことを特徴とする施錠装置の受け金具。
【請求項２】
前記係止板部における前記鉤部材の先端傾斜部が接触する前縁部分に、傾斜縁部が曲折して形成されたことを特徴とする請求項１記載の施錠装置の受け金具。
【請求項３】
前記係止板部には、前記鉤部材の係止先端部が進入して係止されるための係止孔が形成されていることを特徴とする請求項１記載の施錠装置の受け金具。
【請求項４】
前記取付板部は縦長に形成され、該縦長の取付板部の上部と下部に前記係止板部が該取付板部の一部を内側水平方向に直角に曲折して形成されていることを特徴とする請求項１記載の施錠装置の受け金具。
【発明の詳細な説明】
【技術分野】
【０００１】
本発明は、スロットマシン、パチンコ機等のゲーム機に使用される施錠装置の受け金具に関する。
【背景技術】
【０００２】
例えば、パチンコホールなどで使用されるスロットマシンは、通常、矩形箱形のキャビネットの前面に前扉が設けられ、側部に設けた蝶番を介して開閉可能とされ、前扉の自由端側には、縦に施錠装置が取り付けられる。そして、前扉の閉鎖時には、キャビネット側に取り付けた受け金具に、その施錠装置の鉤部材が係止され、施錠される。
【０００３】
施錠装置は、前扉の自由端側の内側に縦に固定され、その上部と下部に突設された鉤部材に対向して、ゲーム機のキャビネット側に受け金具が取り付けられ、前扉を閉じると、前扉側の施錠装置の鉤部材がキャビネット側の受け金具の係止片に係止されて前扉が施錠される。このキャビネット側の受け金具は、通常、下記特許文献１に記載されるように、キャビネットの内壁部の取付固定される取付板部の一部を直角に曲げて鉛直面を形成するように、係止板部を形成して構成されている。
【特許文献１】実公昭５８−４１９９８号公報
【発明の開示】
【発明が解決しようとする課題】
【０００４】
そして、従来の一般的なゲーム機の施錠装置においては、図９に示すように、前扉を閉じると、施錠装置の鉤部材３０が、受け金具３１の鉛直に配置された係止板部３３の下縁部又は上縁部に対し係止され、施錠される。しかるに、図９に示す如く、受け金具３１は、その取付板部３２に対しその係止板部３３が鉛直線部分をその曲げ境界線として、鉤部材３０側つまり正面を向くように直角に曲げて形成されている。
【０００５】
このために、図９のように、鉤部材３０が受け金具３１の係止板部３３に係止された施錠状態で、施錠装置を固定した前扉を強く開方向に引いた場合、その開方向への荷重が鉤部材３０を介して受け金具３１の係止板部３３の板厚方向に印加されることになる。つまり、前扉を無理に開く際、鉤部材３０にかかる力の方向が、取付板部３２に対する係止板部３３の曲げ方向と一致していた。このため、係止板部３３には、その取付板部３２に対する曲げ角度を変える方向に荷重が加わり、取付板部３２に対する係止板部３３の直角の曲げ角度が変化しやすいという不具合があった。
【０００６】
したがって、不正解錠などにより前扉が強力に開方向に引かれた場合、係止板部３３の直角曲げ角度が変化し、つまり係止板部３３に変形が生じて、キャビネットと前扉の間に隙間が生じる虞があった。
【０００７】
本発明は、上記の点に鑑みてなされたもので、施錠状態で前扉が強く開方向に引かれた場合でも、係止板部の変形を防止することができる施錠装置の受け金具を提供することを目的とする。
【課題を解決するための手段】
【０００８】
上記目的を達成するために、本発明の施錠装置の受け金具は、ゲーム機のキャビネットの内側に取り付けられる受け金具であって、ゲーム機の前扉の内側に取り付けられた施錠装置の鉤部材が係止される施錠装置の受け金具において、キャビネットの内壁面に取付け固定される取付板部と、取付板部の表面に突設された板状の係止板部とを備え、係止板部が取付板部の垂直取付面に対し水平に突設されたことを特徴とする。
【０００９】
ここで、請求項２のように、上記係止板部においては、鉤部材の先端傾斜部が接触する前縁部分に、傾斜縁部を曲折して形成することができる。
【００１０】
また、請求項３のように、上記係止板部には、鉤部材の係止先端部が進入して係止するための係止孔を形成することが好ましい。
【００１１】
また、請求項４のように、上記取付板部は縦長に形成し、縦長の取付板部の上部と下部に係止板部を、取付板部の一部を内側水平方向に直角に曲折して形成することができる。
【発明の効果】
【００１２】
このように構成された施錠装置の受け金具は、ゲーム機のキャビネット（本体枠を含む）の内側に固定され、キャビネットに対し開閉可能に装着された前扉（前面枠を含む）の内側には、施錠装置がその鉤部材をキャビネット側に向けて縦に固定される。
【００１３】
施錠装置を固定した前扉を、受け金具を固定したキャビネットに対し閉じると、先ず、施錠装置の鉤部材の先端傾斜部が、受け金具の係止板部の傾斜縁部に接触しながら回動し又は摺動して、鉤部材の係止凹部が係止板部に係止され、施錠状態となる。
【００１４】
すなわち、前扉が閉じられて施錠装置の鉤部材がキャビネット側の受け金具に向けて移動すると、受け金具の係止板部は取付板部の垂直取付面に対し水平に突設されるため、鉤部材はその係止凹部が係止板部の端面に係止され、施錠される。したがって、このような施錠状態において、前扉を開方向に引いたときの荷重は、鉤部材の係止凹部の前後方向つまり係止板部の水平面である平面方向に印加されることになる。
【００１５】
よって、施錠状態において、不正解錠などにより前扉が強引に開方向に引っ張られた場合、受け金具の係止板部には、鉤部材の係合凹部の縁部を介して、その板厚方向ではなく、板部の平面方向に荷重が加わる。このため、係止板部の取付板部に対する直角の角度を変える方向に、荷重が印加される不具合は回避され、前扉を強引に開方向に引いた場合でも、係止板部の取付板部に対する角度は変化せず、係止板部の変形や曲げを防止して、キャビネットと前扉の間に生じやすい隙間の発生を防止することができる。
【００１６】
また、請求項２のように、鉤部材の先端傾斜部が接触する係止板部の前縁部分に、傾斜縁部を形成すれば、鉤部材の先端傾斜部と係止板部の前縁部分との摩擦抵抗を少なくして、その部分の摩耗を低減し、前扉を閉じて施錠する際の抵抗負荷を小さくすることができる。
【００１７】
また、請求項３のように、係止板部に、鉤部材の係止先端部が進入して係止される係止孔を形成すれば、鉤部材の長さが短い場合でも、係止板部の幅を長くして係止板部の面積を大きくし、係止板部の強度を向上させることができる。すなわち、強度を確保するために、係止板部を大形に（その面積と幅を大きく）した場合、鉤部材の長さも長くする必要があるが、係止板部に係止孔を設け、その係止孔の縁部に鉤部材の係止先端部を係止させるようにすれば、係止板部の必要強度を確保しながら、鉤部材の長さは短く抑えることができる。さらに、係止板部の強度を上げるためにその板厚を不要に厚くする必要はなく、従来と同じ板厚の金属板を使用して受け金具を製造することができる。
【発明を実施するための最良の形態】
【００１８】
以下、本発明の実施の形態を図面に基づいて説明する。図１は施錠装置の受け金具１０の正面図を示し、図２はその右側面図を示し、図３はその平面図と左側面図を示している。この受け金具１０は、スロットマシンなどのゲーム機のキャビネットの内側前縁部に、後述の施錠装置３の対応位置に合わせて、縦に固定される。
【００１９】
受け金具１０は、図１〜図３に示すように、縦長の帯状金属板からなる取付板部１１の上部と下部の右側面側に、係止板部１２、１５を水平に曲折形成して構成されている。すなわち、取付板部１１の垂直取付面に対し係止板部１２，１５は、水平方向を向けて直角に曲折され、つまり取付板部１１の一部を直角に水平に折り曲げて係止板部１２，１５は水平面をもって形成されている。
【００２０】
また、取付板部１１には複数の取付孔が穿設され、取付板部１１を取付孔と固定ねじによりキャビネット１の内側部に取り付けた際、係止板部１２、１５の前縁端面（後述の傾斜縁部１４，１７）が正面を向くように形成される。また、係止板部１５の下側の取付板部１１の側面に、ローラ受け部１８が水平に固定されている。
【００２１】
上下の係止板部１２，１５の前縁部、つまり閉鎖時に鉤部材５，６の先端傾斜部５ａ，６ａが接触する係止板部１２，１５の前縁部分には、傾斜縁部１４，１７が斜め上方に曲折して形成されている。また、係止板部１２，１５には、鉤部材５，６の係止先端部５ｂ、６ｂが進入して係止するための係止孔１３，１６が形成されている。
【００２２】
この係止孔１３，１６は図３ａに示す如く、略矩形形状に形成され、この矩形の係止孔１３，１６の長さは、鉤部材５，６の三角形状の係止先端部５ｂ、６ｂが進入可能な長さに形成される。施錠時、鉤部材５，６の係止先端部５ｂ、６ｂはこの係止孔１３，１６内に進入しその縁部に係止されることになる。このような受け金具１０は、図４、図５に示すように、キャビネット１の開口した前部の内側縁部に、その取付板部１１を介して縦に固定される。
【００２３】
一方、施錠装置３は、図４に示すように、取付板４ａと支持板４ｂを略断面Ｌ形または略コ字状に成形してなる基枠体４を有し、その基枠体４の支持板４ｂの上部と下部に、鉤部材５、６が傾動可能に枢支され、基枠体４内に摺動可能に配設した連結杆８により上下の鉤部材５、６が連結されている。
【００２４】
上下の鉤部材５，６は、略同じフック形状に形成され、先端部の一方の辺部に先端傾斜部５ａ，６ａを設け、その先端傾斜部５ａ，６ａが係止凹部５ｃ、６ｃに繋がる角部に、略直角三角形の角部をなす係止先端部５ｂ、６ｂが形成されて構成される。また、上下の鉤部材５，６は基枠体４から水平方向に突出し、その水平位置より下側に所定の角度だけ傾動可能に、枢軸５ｄ、６ｄを介して枢支され、その末端部に連結杆８が連結されている。連結杆８と支持板４ｂの間にコイルばね１９が掛けられ、連結杆８はコイルばね１９の付勢力によって下側に付勢され、鉤部材５，６は施錠側に付勢される。
【００２５】
図４、図５に示すように、シリンダ錠７が基枠体４の中間位置の幅広部に筒体を介して取り付けられ、基枠体４の内側に位置する錠軸の先端に、カム板２０が固定され、カム板２０の係合部２０ａが連結杆８に係合可能とされる。そして、シリンダ錠７の錠軸をキー操作により右に回動させると、カム板２０が同方向に回動し、連結杆８が上方に摺動して、上下の鉤部材５、６を下側に傾動させ、解錠する構造である。
【００２６】
基枠体４の内側の幅広部近傍の支持板４ｂと連結杆８の間に、スイッチを動作させるためのスイッチ作動杆２１が摺動可能に配設される。スイッチ作動杆２１にはカム板２０の係合部２０ｂに係合可能な係合孔が設けられ、また、作動片２１ａが支持板４ｂの外側に突き出すように設けられる。したがって、シリンダ錠７の錠軸を、前扉の解錠方向とは反対の左方向に回したとき、カム板２０の係合部２０ｂがスイッチ作動杆２１に係合してそれを下側に摺動させ、作動片２１ａを非接触スイッチ２２に作用させて、スイッチをオンオフさせる。
【００２７】
施錠装置４は、図７のように、ゲーム機の前扉２の内側にキャビネット側を向けて縦に固定される。施錠装置４のシリンダ錠７の上面は、前扉２の前面の露出し、前扉２の前面側から操作される。また、基枠体４の支持板の下部、つまり鉤部材６の下側には、閉鎖時に受け金具１０側のローラ受け部１８に乗り上げて前扉２を支持するための支持ローラ９が回転自在に軸支されている。
【００２８】
次に、上記構成のゲーム機の施錠装置の動作を説明する。図５、図６に示すように、施錠装置を取り付けた前扉２を、受け金具１０を固定したキャビネット１に対し閉じると、先ず、施錠装置の鉤部材５，６の先端傾斜部５ａ，６ａが、受け金具１０の係止板部１２，１５の傾斜縁部１４，１７に接触し、鉤部材５，６が一旦下側に回動して、その係止先端部５ｂ、６ｂが受け金具１０の係止板部１２，１５の係止孔１３，１６に進入したとき、コイルばね１９の付勢力によって鉤部材５，６が水平位置に戻り、図７のように、係止凹部５ｃ、６ｃが係止孔１３，１６の縁部に係止され、施錠状態となる。
【００２９】
このとき、鉤部材５，６の先端傾斜部５ａ，６ａは、受け金具１０の係止板部１２，１５の傾斜縁部１４，１７に摺動接触して施錠されるため、先端傾斜部５ａ，６ａと傾斜縁部１４，１７の摩擦抵抗は小さく、軽い力で施錠ができると共に、両部材の摩耗を低減することができる。
【００３０】
すなわち、前扉２を閉じると、施錠装置の鉤部材５，６が傾動しながら受け金具１０の係止板部１２，１５の下側に進入し、その係止先端部５ｂ、６ｂが係止板部１２，１５の係止孔１３，１６に入ったとき、係止凹部５ｃ、６ｃが係止孔１３，１６の縁部に係止され、施錠状態となる。この施錠状態において、受け金具１０の係止板部１２，１５は取付板部１１の垂直取付面に対し水平に突設されているため、鉤部材５，６はその係止凹部５ｃ、６ｃが係止板部１２，１５の係止孔１３，１６の縁部端面に係止されて、施錠される。したがって、施錠状態において、前扉２を開方向に引いたときの荷重は、鉤部材５，６の係止凹部５ｃ、６ｃの前後方向つまり係止板部１２，１５の水平面である平面方向に生じる。
【００３１】
よって、このような施錠状態において、不正解錠などにより前扉２が強引に開方向に引っ張られた場合、受け金具１０の係止板部１２，１５には、鉤部材５，６の係合凹部５ｃ、６ｃの縁部を介して、その板厚方向ではなく、板部の平面方向に荷重が印加される。このため、前扉２に開方向の力を加えたとき、係止板部１２，１５の取付板部１１に対する直角の角度を変える方向に、荷重がかかることはない。したがって、前扉２を強引に開方向に引いた場合でも、係止板部１２，１５の取付板部１１に対する角度は変化せず、係止板部１２，１５の曲げや変形を防止して、キャビネット１と前扉２の間に生じやすい隙間の発生を防止することができる。
【００３２】
このように、従来の受け金具にあっては、一般に図９に示す如く、係止板部が取付板部の垂直取付面に対し直角な鉛直面をもって曲折形成されていたため、不正解錠を目的として強く前扉が開方向に強力に引っ張られた場合、通常の板厚の受け金具では、取付板部に対し係止板部が曲がり、前扉とキャビネットとの間に隙間が生じる虞があったが、本施錠装置の受け金具１０によれば、前扉２の開方向の力は受け金具１０の係止板部１２，１５平面方向に加わるため、係止板部１２，１５の曲がり変形を防止して、隙間の発生を防止することができる。
【００３３】
一方、前扉２を開く場合は、キーをシリンダ錠７に差し込み右に回すと、カム板２０が同方向に回動し、連結杆８に係合してそれを上方に摺動させる。この連結杆８の上方への摺動により、上下の鉤部材５，６が下方に傾動して、受け金具１０の係止板部１２，１５との係合が外れ、前扉２は解錠される。
【００３４】
なお、上記実施形態では、受け金具１０の係止板部１２，１５に係止孔１３，１６を設けたが、この係止孔１３，１６に代えて係止溝を設けても良く、また、係止孔や係止溝を設けずに単純に係止板部のみとし、係止板部の縁部端面に鉤部材を係止させることもできる。この場合、係止板部はその縁部端面に荷重が加えられたとき、その板部全体で荷重を受けるため、耐荷重性を上げるためには、係止板部の大きさ、特に鉤部材の進入方向の長さをある程度長くする必要がある。このために、係止板部の水平方向の長さを長くすると、その係止板部に係止される鉤部材の長さは必然的に長くなる。したがって、鉤部材と係止板部の長さをある程度長くできる場合は、係止板部に係止孔を設けずに、受け金具を形成することもできる。
【００３５】
また、上記実施形態の施錠装置３は、その鉤部材が支持板に枢軸を介して枢支され、傾動する構造であったが、施錠杆の上部と下部に鉤部が一体的に突設され、施錠杆が基枠体内に摺動可能に配設され、鉤部が平行移動する構造のものであってもよい。また、上記実施形態の受け金具１０は、１本の取付板部１１の上部と下部に、係止板部１２，１５を設けた構造であったが、取付板部を上部と下部に分離し、各々の取付板部に係止板部を設ける構造であっても、本発明を適用することができる。
【図面の簡単な説明】
【００３６】
【図１】本発明の一実施形態を示す施錠装置の受け金具の正面図である。
【図２】同受け金具の左側面図である。
【図３】（ａ）は同受け金具の平面図、（ｂ）は同受け金具の右側面図である。
【図４】施錠装置の背面図である。
【図５】開放状態のキャビネットと前扉に装着した施錠装置と受け金具の左側面図である。
【図６】閉鎖する手前のキャビネットと前扉に装着した施錠装置と受け金具の右側面図である。
【図７】施錠するまでの動作を示す施錠装置と受け金具の右側面図である。
【図８】施錠装置の鉤部材５が受け金具１０に係止された状態を示す斜視図である。
【図９】従来の受け金具を示す斜視図である。
【符号の説明】
【００３７】
１−キャビネット
２−前扉
３−施錠装置
４−基枠体
５、６−鉤部材
７−シリンダ錠
８−連結杆
９−基枠体
１０−受け金具
１１−取付板部
１２、１５−係止板部
１３，１６−係止孔
１４、１７−傾斜縁部
【図１】
2006122205.tif 000003
【図２】
2006122205.tif 000004
【図３】
2006122205.tif 000005
【図４】
2006122205.tif 000006
【図５】
2006122205.tif 000007
【図６】
2006122205.tif 000008
【図７】
2006122205.tif 000009
【図８】
2006122205.tif 000010
【図９】
2006122205.tif 000011